(57)【要約】【課題】既設のフロントレールに取り付けられた表示カードはそのままの状態にし、大型の表示カードを取付け得る表示具を商品陳列棚の前端に装着し、しかも既設の表示カードのバーコードを読み取ることができるようにした陳列棚用表示具を提供する。【解決手段】棚板１０の前端に設けられたフロントレール１１の後部の嵌合溝１２又は棚板の前端に設けられた立設部材１６に取り付ける陳列棚用表示具であって、横方向に長尺を成す表示具本体２の下部にフロントレールの嵌合溝１２に差し込む差込部３と、表示具本体２の上部付近にて前側に突出すると共に下方へ屈曲して立設部材１６を挟持する挟持片４と、表示用本体２の上部前側に沿って設けられた屈曲部５により屈曲自在に結合されたカード支持板６と、該カード支持板６の下端を上方へ折り返したカード押さえ板７とを有するものである。【選択図】図１
2004298419.tif 000002
【特許請求の範囲】
【請求項１】
棚板の前端に設けられたフロントレールの後部の嵌合溝又は棚板の前端に設けられた立設部材に取り付ける陳列棚用表示具であって、横方向に長尺を成す表示具本体の下部に前記フロントレールの嵌合溝に差し込む差込部と、前記表示具本体の上部付近にて前側に突出すると共に下方へ屈曲して前記立設部材を挟持する挟持片と、前記表示用本体の上部前側に沿って設けられた屈曲部により屈曲自在に結合されたカード支持板と、該カード支持板の下端を上方へ折り返して成るカード押さえ板とを有することを特徴とする陳列棚用表示具。
【請求項２】
前記表示用本体の上部前側に沿って設けられた屈曲部により屈曲自在に結合されたカード支持板は、前記表示用本体に沿って弾性変形可能な合成樹脂材料によって一体的に形成されていることを特徴とする請求項１記載の陳列用表示具。
【請求項３】
前記表示用本体の後側の所定高さには前記棚板に設置する仕切板に設けられた嵌合部材を嵌め込むための凹部が形成されていることを特徴とする請求項１又は２記載の陳列用表示具。
【請求項４】
前記表示用本体の後側に、前記差込部を前記フロントレールの嵌合溝に差し込んだ際の高さを規制するストッパが形成されていることを特徴とする請求項１、２又は３記載の陳列用表示具。
【請求項５】
前記カード支持板の下端を上方へ折り返して成る折返部を膨出した形状とし、該折返部に表示用アダプターの凹部を嵌合するようしたことを特徴とする請求項１、２、３又は４記載の陳列用表示具。
【発明の詳細な説明】
【０００１】
【発明が属する技術分野】
本発明は、商品陳列棚の前端に設けることによって商品の名称や内容案内や価格等を記載した表示カードを表示する陳列棚用表示具に関するものである。
【０００２】
【従来の技術】
従来、例えば商店等に設置された商品陳列棚の前端には商品の名称や内容案内や価格等を記載した表示カードを表示することが行われている。そのための表示具としては、例えば特許文献１に記載された発明がある。
【０００３】
この発明の表示具３０は、図９に示すように、商品陳列棚３０のガラス棚板や薄板等に抜き差し可能な上方水平部材３１と下方水平部材３２とを備えた取付け部本体３３を有し、取付け部本体３３の立ち上がり上端部から商品陳列棚３０の前方に傾斜したカード支持基板３４と該カード支持基板３４の下端から上方へ折り返して成るカード支持板３５とを有するもので、カード支持基板３４とカード支持板３５との合わせ部を開いて、その間に上方から表示カード（不図示）を挿入し、該カードをカード支持板３５から目視するようにしている。
【０００４】
ところで上記の表示具は、主として平板から成る商品陳列棚３０に挿着するものであり、棚板の前端に溝状のレール（以下、「フロントレール」と称する）が取り付けられたタイプの商品陳列棚に引用文献１の表示具を取り付けることは不可能である。
【０００５】
これに対して、商品陳列棚の前端にフロントレールが設けられた状態で表示具を取り付けることによって大型の表示カードを表示するようにした具体例としては、特許文献２に記載された発明がある。
【０００６】
この発明は、大型のバーコードカード等のカード４０を支持するもので、仕切板５４の支持機能を有する陳列棚用棚板４３と陳列棚用表示具４４とに関するものである。
【０００７】
即ち、引用文献２の陳列棚用棚板４３の構成は、図１０に示すように、棚板４１の前面に固定された固定板４６に嵌合溝４７を有するように形成された係合部４８と固定板４６の下部に傾斜状に形成された下部支持板４９と該下部支持板４９の端部に折曲形成された係合部５０とを有するものである。
【０００８】
また、引用文献２の陳列棚用表示具４４は、図１０に示すように、表示具本体５１を後方へ折り返して成る係合片支持板５２の下端に係合片５３を有し、該係合片５３を上記の陳列棚用棚板４３の嵌合溝４７に挿着する一方、係合片支持板５２の後部に突出形成した仕切板係合部材５９に仕切板５４の係合片５５を挿着して取付ける。一方、表示具本体５１の傾斜部の下端を折り返してなるカード支持板５６を有し、さらに該カード支持板５６の後部に突出形成した係合片５７を陳列棚用棚板４３の係合部５０に係止し、表示具本体５１とカード支持板５６との間の収納部５８にカード４０を挿入して表示するようにしている。
【０００９】
【特許文献１】
特開平１０−２８６１５０号公報（第１−２頁、図１）
【特許文献２】
特開平９−８４６６９号公報（第１−２頁、図４）
【００１０】
【発明が解決しようとする課題】
ところで、一般に、商品陳列棚の前端に設けられたフロントレールは上下幅が狭いため、このフロントレールに取り付けられた表示カードの文字や絵柄等は小さく記載され、アピール性に欠けるうえ、見え難いという欠点があった。
【００１１】
さらに、近時においては、フロントレールに取り付けられた表示カードにはバーコード等の情報が記載されており、そのために他の表示のためのスペースが削減され、商品の案内や価格等の記載スペースがいっそう小さくなるという問題があった。なお、バーコード等の情報は、販売主側に必要な情報であって、通常は来客者に見せる必要のないものである。
【００１２】
従って、販売主側の要望としては、バーゲンセール等において、既設のフロントレールに取り付けられた表示カードはそのままの状態にし、商品のアピール性を向上するために大型の表示カードを別途取付ける表示具を商品陳列棚の前に設けたままにし、必要に応じて既設の表示カードのバーコードを読み取ることができるようにした表示具があれば、非常に便利となる。
【００１３】
また、フロントレールに取り付けられたバーコート付き表示カードは、一般的に、フロントレールの上下の折曲部に係止しただけの状態にされているため、表示カードがフロントレールに沿って横方向にずれ易いという問題がある。実際に、表示カードが所定位置から横方向にずれてしまうと、来客者に混乱が生じたり、或はバーコードの読み誤りの原因となったり、不都合な事態を招くこととなる。
【００１４】
本発明は、上記の事情に鑑みて成されたもので、既設のフロントレールに取り付けられた表示カードはそのままの状態にし、大型の表示カードを取付け得る表示具を商品陳列棚の前端に装着し、しかも既設の表示カードのバーコードを読み取ることができるようにした陳列棚用表示具を提供することを目的とする。
【００１５】
【課題を解決するための手段】
上記の目的を達成するために、請求項１の発明は、棚板の前端に設けられたフロントレールの後部の嵌合溝又は棚板の前端に設けられた立設部材に取り付ける陳列棚用表示具であって、横方向に長尺を成す表示具本体の下部に前記フロントレールの嵌合溝に差し込む差込部と、前記表示具本体の上部付近にて前側に突出すると共に下方へ屈曲して前記立設部材を挟持する挟持片と、前記表示用本体の上部前側に沿って設けられた屈曲部により屈曲自在に結合されたカード支持板と、該カード支持板の下端を上方へ折り返して成るカード押さえ板とを有することを特徴とする。
【００１６】
また、請求項２の発明は、請求項１において、前記表示用本体の上部前側に沿って設けられた屈曲部により屈曲自在に結合されたカード支持板は、前記表示用本体に沿って弾性変形可能な合成樹脂材料によって一体的に形成されていることを特徴とする。
【００１７】
また、請求項３の発明は、請求項１又は２において、前記表示用本体の後側の所定高さには前記棚板に設置する仕切板に設けられた嵌合部材を嵌め込むための凹部が形成されていることを特徴とする。
【００１８】
また、請求項４の発明は、請求項１、２又は３において、前記表示用本体の後側に、前記差込部を前記フロントレールの嵌合溝に差し込んだ際の高さを規制するストッパが形成されていることを特徴とする。
【００１９】
さらに、請求項５の発明は、請求項１、２、３又は４において、前記カード支持板の下端を上方へ折り返して成る折返部を膨出した形状とし、該折返部に表示用アダプターの凹部を嵌合するようしたことを特徴とする。
【００２０】
【発明の実施の形態】
以下図面に基づいて本発明の実施形態を説明する。
【００２１】
本発明の陳列棚用表示具１は、図１、２、３、４等に示すように、棚板１０の前端に設けられたフロントレール１１の後部の嵌合溝１２に取り付けるか、又は図５、図６に示すように、棚板１０の前端に設けられた立設部材１３に取り付けるものであり、そのいずれにも取付け可能である。
【００２２】
即ち、図１に示すように、棚板１０の前端に沿って固設されたフロントレール１１はその上端と下端に長手方向に沿って折曲された折返片１４、１５を有し、これらの上部折返片１４と下部折返片１５とが互いに向き合う形状とされ、これらの上部折返片１４と下部折返片１５とに係止した表示カード２０を前方から目視することが可能である。
【００２３】
このようなフロントレール１１には、その後部の棚板１０との間に縦方向に隙間を有する嵌合溝１２が形成されている。本発明の表示具１は、この嵌合溝１２に差し込んで取り付ける差込部３の他に立設部材１６に挟持する挟持片４を有する。
【００２４】
即ち、本発明による表示具１は、図１又は図２に示すように、横方向に長尺を成す表示具本体２の下部にフロントレール１１の嵌合溝１２に差し込む差込部３と、図５又は図６に示すように、表示具本体２の上部にて前側に突出すると共に下方へ屈曲して立設部材１６を挟持する挟持片４とを有し、さらに表示用本体２の上部前側に沿って設けられた屈曲部５により屈曲自在に結合されたカード支持板６と、該カード支持板６の下端を上方へ折り返したカード押さえ板７とを有する。
【００２５】
上記の構成を詳細に述べると、図１において、表示具本体２は棚板１０の前端の横方向の長さに応じて長尺に形成してあり、表示用本体２の背面は平板状に形成され、その下端は差込部３とされている。この差込部３の下端近傍の前面には上下に２条の凸部３ａ、３ａ（図３参照）が横方向に形成されている。この凸部３ａ、３ａは差込部３を嵌合溝１２に差し込んだときの抜け止めとして機能する。
【００２６】
また、表示用本体２の後側には下端から所定高さの位置にストッパ８が形成されている。このストッパ８は、差込部３をフロントレール１１の嵌合溝１２に差し込んだ際の高さを規制するものであって、表示用本体２の高さを棚板１０の上面から所定高さに保つことができる。
【００２７】
また、本実施例の表示具本体１にはその上部付近から前側に突出して下方へ屈曲してなる挟持片４が形成されている。この挟持片４は、図５又は図６に示すように、立設部材１６を上方から挟持することによって表示具１を棚板１０の前端に固定するようにしたものである。
【００２８】
このような立設部材１６には、図５に示すように、冷ケース棚板に設けられた前面仕切り部材や、図６に示すように、棚板１０上に固定された転び止め部材等がある。その他、ワイヤーで形成されたストッパーが設けられている場合であっても、これを挟持片４で挟持することによって表示具１を固定状態に取り付けることができる。
【００２９】
なお、挟持片４は、図１又は図２等に示すように、表示具１の差込部３をフロントレール１１の嵌合溝１２に差し込んだ際には不要であるが、挟持片４の下端部がフロントレール１１の上部折返片１４に当たらないように、挟持片４の下端部を前方へ折曲（折曲片４ａ）してある。この折曲片４ａが傾斜状に形成されているため、図５又は図６に示すように、挟持片４を立設部材の上方から挟持する際、表示具１を上方から下方へ押し下げるだけで挟持片４が開いて立設部材１６を挟持することができる。
【００３０】
さらに、本発明による表示具１の表示用本体２の上部前側に沿って設けられた屈曲部５により屈曲自在に結合されたカード支持板６が形成されている。この構成は、本発明の表示具１をポリエチレンテレフタレート等の合成樹脂の押出成形によって形成する際、表示具１の天井部９とカード支持板６とを繋ぐ屈曲部５に弾性変形可能な合成樹脂材料として熱可塑性エラストマーによる部位を形成して成り、図２に示すように、この屈曲部５によってカード支持板６を上下方向へ持ち上げたり降ろしたりすることができる構成としている。
【００３１】
また、本発明の表示具１は、カード支持板６の下端を上方へ折り返してカード支持板６と合わせたカード押さえ板７を有する。本発明の表示具１において、少なくともこの押さえ板７は透明の合成樹脂より形成し、またカード押さえ板７の上端はカード支持板６の上端よりやや高く形成すると共にこの上端を前方へやや屈曲（屈曲片７ａ）させている。
【００３２】
従って、このカード押さえ板７とカード支持板６との間に上方から表示カード２１を挿入する際、表示カード２１をその間に差し込むだけでこの表示カード２１をカード押さえ板７とカード支持板６との間に挟み込むことができ、カード押さえ板７の上方から表示カード２１を目視することができる。
【００３３】
上記の構成によって、図２に示すように、カード支持板６を上方に持ち上げると、屈曲部５を中心としてカード支持板６が回転するように持ち上がり、その下方のフロントレール１１に設けられた表示カード２０を露呈させることができる。
【００３４】
このような構成によって、例えばフロントレール１１の表示カード２０にバーコードが記載されている場合、本発明による表示具１を取り除かなくても、カード支持板６を持ち上げてその下方のフロントレール１１側のバーコード２２（図１参照）に不図示の読取装置を当てて読取ることができる。この読取り作業が終了すると、カード支持板６をそのまま降ろしてフロントレール１１の前方に被せることによって、フロントレール１１全体を目隠しして表示具１に大型の表示カード２１を表示することができる。
【００３５】
さらに、図３又は図４において、表示用本体２の後側の所定高さには棚板１０に設置する仕切板２３の前部に設けられた嵌合部材２３ａを嵌め込むための凹部１３が形成され、棚板１０の前端に表示具１を取り付けた状態で、該表示具１を仕切板２３の係止具として利用することができる。
【００３６】
また、本発明においては、図７又は図８に示すように、カード支持板６の下端を上方へ折り返して成る折返部１７を膨出した形状として、該折返部１７に表示用アダプター２５の嵌合凹部２６を嵌合することができる。
【００３７】
この表示用アダプター２５は、端部に上記の嵌合凹部２６を有し、該嵌合凹部２６でカード支持板６の下端の膨出形状の折返部１７を嵌合することができる。表示用アダプター２５の本体の中央には表示板２８を挟持する挟持片２７、２７が形成され、これらの挟持片２７、２７間に表示板２８を差し込んで挟持させることができる。
【００３８】
【発明の効果】
以上説明したように、本発明の陳列用表示具によれば、棚板の前端に設けられたフロントレールの後部の嵌合溝に取り付けるか、棚板の前端に設けられた立設部材に取り付けるものであり、そのいずれにも取付け可能である。
【００３９】
しかも、棚板の前端にフロントレールを取り付けたままにして、該棚板の前端に本発明の表示具を取り付けることができ、さらにはこのように本発明の表示具を取り付けた状態で、カード支持板を上方に持ち上げると、屈曲部を中心としてカード支持板が回転するように持ち上がり、その下方のフロントレールに設けられた表示カードを露呈させることができる。
【００４０】
従って、例えばフロントレールの表示カードにバーコードが記載されている場合、本発明による表示具を取り除かなくても、カード支持板を持ち上げてその下方のフロントレール側のバーコードに読取装置を当てて読取ることができるため、販売主側にとっては作業性が非常に良くなるという利点を有する。
【００４１】
また、カード支持板をそのまま降ろしてフロントレールの前方に被せることによって、フロントレール全体を目隠しして、表示具に大型の表示カードを表示することができる。従って、バーゲンセール等のように店内の内装を一時的に変えるようなときに、本発明のように大型の表示カードを挟み込むことができる表示具を取り付ければ、アピール性も向上し、来客側にとっても見易い表示内容となる。
【００４２】
さらに、上記のように、本発明の陳列用表示具は、通常の使用状態において、フロントレールの前方を覆い隠しているため、フロントレールに取り付けられたバーコート付き表示カードに来客者の手が触れたり、その他のものが接触したりすることがない。従って、本発明の陳列用表示具は、フロントレールに取り付けられた表示カードのずれ防止にも有益となる。
【００４３】
また、本発明において、表示用本体の後側の所定高さには棚板に設置する仕切板に設けられた嵌合部材を嵌め込むための凹部が形成されているため、棚板の前端に表示具を取り付けた状態で、該表示具を仕切板の係止具として利用することができる。
【００４４】
また、表示用本体の後側に、差込部をフロントレールの嵌合溝に差し込んだ際の高さを規制するストッパが形成されているため、差込作業だけで所定高さの表示具の設置状態とすることができる。
【００４５】
さらに、カード支持板の下端を上方へ折り返して成る折返部を膨出した形状とし、該折返部に表示用アダプターの凹部を嵌合するようしてあるため、該表示用アダプターを本発明の表示具に容易に取付けることができ、商品案内等のアピール性をさらに高めることが可能となる。
【図面の簡単な説明】
【図１】本発明による陳列用表示具をフロントレールの嵌合溝に取り付けた状況を示す斜視図である。
【図２】本発明による陳列用表示具のカード支持板が屈曲自在にするものであることを示す側面図である。
【図３】本発明による陳列用表示具をフロントレールの嵌合溝に取り付ける前の状況を示す側面図である。
【図４】本発明による陳列用表示具をフロントレールの嵌合溝に取り付けた状況を示す断面図であり、仕切板を取り付ける前の状況を示す側面図である。
【図５】本発明による陳列用表示具を冷ケース棚板の立設部材に取り付けた状況を示す側面図である。
【図６】本発明による陳列用表示具を転び止部材に取り付けた状況を示す側面図である。
【図７】本発明による陳列用表示具のカード支持板の折返部に表示用アダプターに取り付ける前の状況を示す斜視図である。
【図８】本発明による陳列用表示具のカード支持板の折返部に表示用アダプターに取り付けた状況を示す斜視図である。
【図９】従来の表示具を示す斜視図である。
【図１０】他の従来の表示具を示す断面図である。
【符号の説明】
１…表示具
２…表示具本体
３…差込部
３ａ…凸部
４…挟持片
４ａ…折曲片
５…屈曲部
６…カード支持板
７…カード押さえ板
７ａ…屈曲片
８…ストッパ
９…天井部
１０…棚板
１１…フロントレール
１２…嵌合溝
１３…立設部材
１４…上部折返片
１５…下部折返片
１６…立設部材
１７…折返部
２０…表示カード
２１…表示カード
２２…バーコード
２３…仕切板
２３ａ…嵌合部材
２５…表示用アダプター
２６…嵌合凹部
２７…挟持片
２８…表示板
【図１】
2004298419.tif 000003
【図２】
2004298419.tif 000004
【図３】
2004298419.tif 000005
【図４】
2004298419.tif 000006
【図５】
2004298419.tif 000007
【図６】
2004298419.tif 000008
【図７】
2004298419.tif 000009
【図８】
2004298419.tif 000010
【図９】
2004298419.tif 000011
【図１０】
2004298419.tif 000012